(57)【要約】【課題】リクライニング操作の安全性と操作性を改善し、介助者の負担を軽減できる入浴用機器を提供する。【解決手段】人体を載置する載置部が基体および可動載置部で構成され、前記可動載置部が前記基体に対し起立倒伏可能に設けられる入浴用機器において、前記可動載置部の起立倒伏を規制する起立倒伏規制部を備え、前記起立倒伏規制部は、前記可動載置部の起立倒伏に係る回転軸から所定の距離をおいて単体で設けられ、前記可動載置部の起立倒伏操作により規制と規制解除が行われる、ことを特徴とする入浴用機器。【選択図】図５
2015016242.tif 000002
【特許請求の範囲】
【請求項１】
人体を載置する載置部が基体および可動載置部で構成され、
前記可動載置部が前記基体に対し起立倒伏可能に設けられる入浴用機器において、
前記可動載置部の起立倒伏を規制する起立倒伏規制部材を備え、
前記起立倒伏規制部材は、前記可動載置部の起立倒伏に係る回転軸から所定の距離をおいて単体で設けられ、前記可動載置部の起立倒伏操作により規制と規制解除が行われる、
ことを特徴とする入浴用機器。
【請求項２】
前記起立倒伏規制部材は、前記可動載置部が倒伏位置から規定した起立位置にあるときは起立倒伏回動を許容し、
前記可動載置部が前記規定した起立位置に達すると倒伏回動を規制し、
前記可動載置部を前記規定した起立位置から更に起立操作すると、前記倒伏回動の規制を解除する、
請求項１に記載の入浴用搬送機器。
【請求項３】
前記起立倒伏規制部材が前記基体と前記可動載置部との内の一方にカム部とロック片とを有し、また、前記基体と前記可動載置部との内の他方に前記カム部に当接して当該カム部を回転させる段部と前記ロック片が当接するロック片当接部とをそれぞれ具備し、
前記可動載置部の倒伏状態から起立状態への回動に伴い、前記カム部が前記段部に当接して一方向に回転され、これにより前記ロック片が回転し、
次いで前記可動載置部が前記起立状態から倒伏状態へ回動する途中で前記ロック片が前記ロック片当接部に干渉して当該可動載置部のそれ以上の倒伏が規制されてロックされ、
再度、前記規制の状態から前記可動載置部を起立状態へ回動させると前記カム部が前記段部で前記一方向と同方向に回転されて前記ロック片が回転し、これにより前記ロック片による前記ロックの状態が解除される、
請求項１または２に記載の入浴用搬送機器。
【請求項４】
前記可動載置部を前記倒伏方向に付勢する付勢部材が設けられる、 
請求項３に記載の入浴用搬送機器。
【発明の詳細な説明】
【技術分野】
【０００１】
本発明は、リクライニング機構を有する入浴用機器に関するものである。
【背景技術】
【０００２】
従来、上半身側の載置部と、下半身側の載置部とを長手方向両側に備え、上半身側の載置部は背凭れとしてリクライニングして人体の上半身を起こすことができるようになっている担架が知られている。かかる担架においては、前記上半身側の載置部をリクライニングさせる機構は、当該載置部を片手で支持しながらもう一方の手でロック／ロック解除レバーを手動操作してロックとその解除をするものが主流である(特許文献１参照)。また、ロックとその解除の操作を省くために、ラチェット機構によりリクライニングを可能としている従来技術もある(特許文献２、特許文献３)
【先行技術文献】
【特許文献】
【０００３】
【特許文献１】特開２００３−１０５２０号公報
【特許文献２】実開昭６２−６１２２５号公報
【特許文献３】実開昭６１−３９５３２号公報
【発明の概要】
【発明が解決しようとする課題】
【０００４】
特許文献１の担架により、手動でリクライニング操作を行う際には、介助者は、担架に載置された被介助者を片手で支えつつ、もう片方の手ではロック解除レバーを操作して、背凭れである上半身側の載置部を起立させたり倒伏させたりする。さらに、背凭れである上半身側の載置部のロックを解除する際には、一度、背凭れ等のロックを外すために、一度背凭れ等を持ち上げ保持した状態で、ロック解除レバーを操作する必要があり、操作が面倒で煩雑であった。特に、介助者が女性であると、被介助者と背凭れの重量を片手で支えることは負担が大きく、安全性確保や介助負担軽減の観点からも問題がある。
【０００５】
特許文献２や３の従来技術は、ラチェット機構によりリクライニングするが、かかるラチェット機構は、大型化とコストアップとを回避するため、一般的には、ロック対象の回転軸付近にコンパクトに内蔵される。しかし、背凭れ等の比較的長尺の回転物の軸に近い位置で回転を規制すると、長さの差が大きければ大きいほど、寸法精度が要求されると同時に、モーメントの増大により強度確保が困難となる。また、担架は、一般的な椅子とは異なって寝位での使用を主としており、ラチェット機構には恒常的に過大な負荷がかかり続けるため、ラチェット機構の歯の摩耗や座屈によるロック性能の低下も懸念される。更に、従来のラチェット機構は、通常回転軸の両端に２つ設ける必要があり、この２つの機構を同期させることが技術的に困難であった。そのため、動作不良により片側しかロックされず担架の載置面が大きく傾いて転落事故の原因になったり、上記同期を確保するために担架のフレームの剛性が強く要求され、担架のフレーム構造が複雑化すると共に、重量が嵩んで更に操作性が損なわれる、といった問題点がある。そのうえ、上記従来の入浴装置は、被介助者の上半身及び下半身のいずれにも対応できるようにするために、リクライニング機構を上半身側と下半身側それぞれの載置部に設けられているので、構造が複雑になると、清掃がしづらくなるばかりでなく、コストや故障頻度、清掃などの作業負担もリクライニング機構を２つ設けている分増大する、といった問題があった。
【０００６】
本発明は、上述の問題点に鑑みてなされたものであり、被介助者や、患者、その他をより安全に移送ないし運搬でき、その運搬に際して介助者等の使用者の負担を軽減できる入浴用機器を提供することを目的としている。
【課題を解決するための手段】
【０００７】
請求項１に記載の発明は、人体を載置する載置部が基体および可動載置部で構成され、前記可動載置部が前記基体に対し起立倒伏可能に設けられる入浴用機器において、前記可動載置部の起立倒伏を規制する起立倒伏規制部材を備え、前記起立倒伏規制部材は、前記可動載置部の起立倒伏に係る回転軸から所定の距離をおいて単体で設けられ、前記可動載置部の起立倒伏操作により規制と規制解除が行われる。
【０００８】
請求項２に記載の発明は、前記起立倒伏規制部材は、前記可動載置部が倒伏位置から規定した起立位置にあるときは起立倒伏回動を許容し、前記可動載置部が前記規定した起立位置に達すると倒伏回動を規制し、前記可動載置部を前記規定した起立位置から更に起立操作すると、前記倒伏回動の規制を解除する。
【０００９】
請求項３に記載の発明は、前記起立倒伏規制部材が前記基体と前記可動載置部との内の一方にカム部とロック片とを有するロック部材を、また、前記基体と前記可動載置部との内の他方に前記カム部に当接して当該カム部を回転させる段部と前記ロック片が当接するロック片当接部とを具備し、前記可動載置部の倒伏状態から起立状態への回動に伴い、前記カム部が前記段部に当接して一方向に回転され、これにより前記ロック片が回転し、次いで前記可動載置部が前記起立状態から倒伏状態へ回動する途中で前記ロック片が前記ロック片当接部に干渉して当該可動載置部のそれ以上の倒伏が規制されてロックされ、再度、前記規制の状態から前記可動載置部を起立状態へ回動させると前記カム部が前記段部で前記一方向と同方向に回転されて前記ロック片が回転し、これにより前記ロック片による前記ロックの状態が解除されることを特徴とする。
【００１０】
請求項１から３の発明によれば、前記可動載置部を起立させる際に、従来のようにロック解除レバーを操作することなく、前記可動載置部を介助者が両手でしっかり保持した状態で当該可動載置部を起立操作することができ、安全に可動載置部の起立姿勢を調節することができる。したがって、介助者が女性であっても、また、被介助者の体重が重い場合であっても、容易に前記可動載置部を起立倒伏させることができる。
【００１１】
さらに、起立倒伏規制部材は、従来のラチェット機構のように回転軸の両端に２つ設ける必要はなく、可動載置部の回転軸から所定の距離をおいて、可動載置部の起立倒伏の回動を効率的かつ確実に規制でき、かつバランスよく支持できる可動載置部の幅方向の略中央付近に単体で設けることができるので、２つの機構を同期させたり、過大なモーメントが作用するために、高精度、高強度の部品を使用する必要はなく、簡易かつ安価な構成で可動載置部の起立倒伏の回動を効率的かつ確実に規制できる。
【００１２】
請求項４に記載の発明は、前記可動載置部を前記倒伏方向に付勢する。
【００１３】
この発明では、可動載置部が倒伏方向、すなわち、ロック片がロック片当接部に当接してロックする方向に付勢するので、担架運搬中の担架の揺れなどの慣性力や、搬送機器が障害物に衝突することによる衝撃力、或いは担架上の被介助者が担架上で動いて作用する力などが加わっても、前記ロックが外れにくく、安全である。また、可動載置部が背凭れの場合、移動中の振動が低減され、被介助者が快適となるほか、担架を浴槽内の湯水に浸漬させて使用する場合、前記可動載置部が被介助者の下半身側を載置する場合であれば、下半身側の可動載置部が浮力で浮いてしまう不都合も解消することができる。
【発明の効果】
【００１４】
本発明によれば、被介助者がより安全に使用でき、介助者の負担が軽減できる入浴用機器を提供することができる。
【図面の簡単な説明】
【００１５】
【図１】本発明の実施形態に係る担架を備える入浴用機器の斜視図である。
【図２】図１の入浴用機器の側面図である。
【図３】入浴用機器が備える担架の正面図であり、可動載置部が水平姿勢状態にある担架を示す。
【図４】本発明の実施形態の入浴用機器において、第１可動載置部の起立前の初期状態での要部の拡大正面図である。
【図５】本発明の実施形態の入浴用機器において、第１可動載置部が起立状態でかつロック前の要部の拡大正面図である。
【図６】本発明の実施形態の入浴用機器において、第１可動載置部の起立前の要部の下面の正面方向からの要部斜視図である。
【図７】本発明の実施形態の入浴用機器において、第１可動載置部の起立前の要部の下面の裏面方向からの要部斜視図である。
【図８】本発明の実施形態の入浴用機器において、可動載置部が起立状態でかつロック状態の要部の正面図である。
【図９】図７において、可動載置部が起立状態でかつロック状態にあって、該可動載置部の下面の正面方向からの要部斜視図である。
【図１０】図７において、可動載置部が起立状態でかつロック状態にあって、該可動載置部の下面の裏面方向からの要部斜視図である。
【図１１】本発明の実施形態の入浴用機器において、可動載置部がロック状態から解除された状態の要部の拡大正面図である。
【発明を実施するための形態】
【００１６】
以下、添付した図面を参照して、本発明の実施形態に係る担架及びこれを備える入浴用機器を説明する。
【００１７】
図１〜図３を参照して、入浴用機器１は、ストレッチャー２と、人体を載置する載置部１１を有する担架３とから構成される。ストレッチャー２は、台車部４と、担架昇降機構５とを有する。
【００１８】
台車部４は、４つのフレーム６〜９が矩形状に枠組みされると共に、フレーム６〜８の下面に車輪６ａ，６ｂ，７ａ，８ａが設けられて構成されている。担架昇降機構５は、フレーム６の中央部に垂直に立設された昇降ガイド柱部５ａと、該昇降ガイド柱部５ａに外挿された昇降筒部５ｂとを有する。昇降筒部５ｂは、昇降ガイド柱部５ａに沿って昇降することができる。
【００１９】
昇降筒部５ｂはモータ（図示省略）を含む駆動装置により昇降ガイド柱部５ａに沿って昇降駆動される。昇降筒部５ｂの上端側に取付用部材５ｃが担架３方向に突出して設けられている。取付用部材５ｃには水平方向平行に一対の手摺５ｄが延設されており移動中や入浴中に被介助者が掴まる事ができるようになっている。また、取付用部材５ｃには担架３方向とは反対方向にＬ形状の入浴用機器操作部材５ｅが設けられている。入浴用機器１は、前記操作部材５ｅを操作することにより、台車部４を任意の方向に移動させることができる。
【００２０】
担架３には、支持フレーム１０が固定されている。支持フレーム１０は、一対のＬ形状のフレーム部１０ａ、１０ｂと、水平フレーム部１０ｃとからなる。一対のＬ形状のフレーム部１０ａ、１０ｂはその上端側が水平フレーム部１０ｃで連結されると共に、その下端側が担架３の下部に入り込むことで、担架３を支持している。
【００２１】
そして、支持フレーム１０は、ストレッチャー２の一対の取付用部材５ｃに固定され、これにより、担架３はストレッチャー２に支持される。担架３は、担架昇降機構５により、図２中矢印Ａ方向に昇降する。位置Ｐ１から位置Ｐ２に下降することで、位置Ｐ２にある浴槽(図示省略)に担架３を浸漬させて被介助者を入浴させることができる。
【００２２】
担架３は、長手方向に延びる載置部１１と、載置部１１の一方の側部に設けられた第１及び第２サイドガード１２ａ，１２ｂと、載置部１１の他方の側部において該他方の側部とは別体とされた第３及び第４サイドガード１３ａ，１３ｂとを具備する。
【００２３】
載置部１１は、長手方向両側の第１及び第２可動載置部１４ａ，１４ｂと、両第１及び第２可動載置部１４ａ，１４ｂの長手方向中間の非可動載置部(基体)１４ｃとから構成される。第１、第２可動載置部１４ａ，１４ｂは共に非可動載置部(基体)１４ｃに対して起立倒伏、つまり、リクライニングが可能である。第１、第２可動載置部１４ａ，１４ｂそれぞれの一方の側部には、第１、第２可動載置部１４ａ，１４ｂの起立倒伏のリクライニング動作と共に回転する前記第１及び第２サイドガード１２ａ，１２ｂが設けられている。第１、第２可動載置部１４ａ，１４ｂの他方の側部側には、前記第３及び第４サイドガード１３ａ，１３ｂが設けられている。
【００２４】
第１及び第２可動載置部１４ａ，１４ｂは、それぞれ、非可動載置部(基体)１４ｃの両側に設けられた載置部回転軸１４ｄ，１４ｅに回転可能に軸支され、載置部回転軸１４ｄ，１４ｅを回転中心として矢印Ｂ，Ｃ方向に起立倒伏してリクライニングできるようになっている。図示される担架３は、第１可動載置部１４ａに枕部１５が設置されて、被介助者(図示省略)の頭部が枕部１５上に載置されると共に、該被介助者の上半身側が第１可動載置部１４ａに、下半身側が第２可動載置部１４ｂに、また、腰部近傍が非可動載置部(基体)１４ｃに載置され、第１可動載置部１４ａの起立倒伏により被介助者は上半身がリクライニングされる。
尚、第１可動載置部１４ａと第２可動載置部枕部１４ｂは対称構造になっており、枕部１５を第２可動載置部１４ｂに取り付ければ、上半身側と下半身側を入れ替えて使用することができるようになっている。
【００２５】
非可動載置部(基体)１４ｃには、支持フレーム１０が固定されている。
【００２６】
図３〜図１１を参照して本発明の実施形態を説明する。
【００２７】
入浴用機器１は、第１可動載置部１４ａ及び第２可動載置部１４ｂそれぞれを、効率的かつバランスよく支持すると共に、所望の起立倒伏位置でロックでき、また、そのロックを解除できるロック／ロック解除機構（起立倒伏規制部材）を第１可動載置部１４ａ及び第２可動載置部１４ｂそれぞれの幅方向の略中央裏面に有する。また、図３に示すように、第１及び第２可動載置部１４ａ，１４ｂは、それぞれ、非可動載置部(基体)１４ｃに付勢部材１４ａ１，１４ｂ１で倒伏方向に付勢され、使用中に何らかの力が可動載置部１４ａ，１４ｂに作用して不用意にロックが解除されることを防止すると共に、移動中の可動載置部１４ａ，１４ｂの振動による不快感や入浴中に浮力で可動載置部１４ａ，１４ｂが浮いてしまうような不都合を解消している。
【００２８】
これらロック／ロック解除機構は第１可動載置部１４ａ及び第２可動載置部１４ｂそれぞれで同様であるので、第１可動載置部１４ａのロック／ロック解除機構を説明する。
【００２９】
前記ロック／ロック解除機構は、第１可動載置部１４ａが倒伏位置から規定した起立位置にあるときは起立倒伏回動を許容し、第１可動載置部１４ａが規定した起立位置に達すると倒伏回動をロックし、第１可動載置部１４ａを規定した起立位置から更に起立操作すると、倒伏回動のロックが解除されるようになっている。従って、第１可動載置部１４ａを起立させる際に、従来のロック／ロック解除用の操作レバーを操作する必要がなく、第１可動載置部１４ａを介助者が両手でしっかり支持しながら起立倒伏させることができるようにしたものであり、介助者が女性であっても、また、被介助者の体重が重い場合であっても、容易に第１可動載置部１４ａを起立倒伏してリクライニングさせることができるようにしている。
【００３０】
以下、図４〜図１１を参照して説明すると、第１可動載置部１４ａの下面に、下側が開放した断面「コ」の字で一方向に長手の取付部材３０が固定されている。
【００３１】
取付部材３０の内側に、当該取付部材３０を貫通した回転軸３１によりガイドレール３２の基端側が枢支されている。ガイドレール３２は、第１可動載置部１４ａの起立に伴い、前記基端側を支点にして第１可動載置部１４ａの下面に対して垂直方向に回転し、第１可動載置部１４ａをその起立位置で支持する。ガイドレール３２の基端側を枢支する位置は、前記ロック／ロック解除機構に過大な負荷が作用しないこと、無駄な湯量が増大しないように浴槽内容積を極力小さくすることなどの制約条件を考慮しつつ、入浴時に浴槽と前記ロック／ロック解除機構が干渉するのを避けるように決定される。具体的には、第１可動載置部１４ａ又は第２可動載置部１４ｂの中央より載置部回転軸１４ｄ，１４ｅ側の位置が好ましく、第１可動載置部１４ａ又は第２可動載置部１４ｂがロックした状態で第１可動載置部１４ａ又は第２可動載置部１４ｂとガイドレール３２が略直角になるように配置される。ガイドレール３２は強度上載置部回転軸１４ｄ，１４ｅからなるべく離れた位置に設けるのが好ましいが、反面部材が大きく大掛かりとなるためガイドレール３２の取付位置は、載置部回転軸１４ｄ，１４ｅから２００ｍｍ以上かつ４００ｍｍ以下とすると好ましく、１００ｍｍ以上かつ２００ｍｍ以下とすると最適である。実施態様のガイドレール３２の取付位置は載置部回転軸１４ｄ,１４ｅから１５０ｍｍとなっている。
【００３２】
ガイドレール３２は、主壁部３２ａとこれの両側の側壁部３２ｂとで断面「コ」の字形状をなしている。ガイドレール３２の主壁部３２ａの基端側に前記した回転軸３１が貫通している。両側壁部３２ｂにおける自由側端部の端面は、ロック片当接面３２ｃをなしている。ガイドレール３２の主壁部３２ａには、基端側から自由端側に長いガイド穴(長穴)３３が形成されている。
【００３３】
ガイド穴３３は、直線状ガイド穴部３３ａと、曲線状のガイド穴部３３ｂとからなる。直線状ガイド穴部３３ａは、幅一定で前記基端側から自由端側に長手状に設けられている。曲線状のガイド穴部３３ｂは、ガイドレール３２の自由端側に連成されている。
【００３４】
曲線状のガイド穴部３３ｂは、穴部上部側の直角な段部形状の段部３３ｃと、穴部下部側の曲線状の壁部３３ｄとで形成された穴内壁面形状を有する。
【００３５】
前記ガイドレール３２のガイド穴３３には、ロック部材３４のカム部３４ａが係入される。ロック部材３４は、回転軸３５に回転自在に取り付けられている。ロック部材３４は、前記カム部３４ａと、ロック片３４ｂとから構成される。カム部３４ａは、平面視形状が正方形であり、回転軸３５の先端に設けられている。ロック片３４ｂは、ピン形状で正方形のカム部３４ａの一辺に垂直に、対向して２箇所設けられており回転軸３５から突出している。
【００３６】
図４に示すように、第１可動載置部１４ａが倒伏している状態において、ロック部材３４のカム部３４ａは、ガイドレール３２のガイド穴３３において、直線状ガイド穴部３３ａの基端側(図４で左側)に位置している。
【００３７】
図４の状態から第１可動載置部１４ａが起立されていくと、図５〜図７に示すように、ロック部材３４のカム部３４ａは、ガイドレール３２の直線状ガイド穴部３３ａから曲線状のガイド穴部３３ｂに入り込む。
【００３８】
この際、カム部３４ａは曲線状のガイド穴部３３ｂを形成する上部側の段形状の段部３３ｃにより、９０度分だけ反時計回り方向に回転駆動される。ロック部材３４のカム部３４ａは、回転軸３５に固定されているので、回転軸３５に固定されているロック部材３４のロック片３４ｂも、９０度だけ同方向に回転駆動され、その後、カム部３４ａは、曲線状のガイド穴部３３ｂ内に収納される。図４はカム部３４ａが回転駆動される前のロック片３４ｂの状態を示し、図５〜図７は、カム部３４ａが９０度反時計回り方向に回転駆動された後のロック片３４ｂの状態を示す。
【００３９】
すなわち、ロック片３４ｂは、図４に示すようにカム部３４ａが直線状長穴３３ａ内にあるときは、その両端は直線状長穴３３ａの長手方向に向いているが、カム部３４ａが、曲線状長穴３３ｂ内にあるときは、その両端は、ガイドレール３２の両側壁部３２ｂのロック片当接面３２ｃに対向している。
【００４０】
そして、図５〜図７に示すように、ロック片３４ｂの両端が、ガイドレール３２の両側壁部３２ｂのロック片当接面３２ｃに対向している状態で、第１可動載置部１４ａの起立操作が解除されると、第１可動載置部１４ａが自重で倒伏してくるが、この倒伏と共に、ロック片３４ｂの両端は、図８〜図１０に示すように、ガイドレール３２のロック片当接面３２ｃに当接する。これにより、第１可動載置部１４ａは、ロック片３４ｂによりロックされて前記起立状態を維持される。
【００４１】
第１可動載置部１４ａを図８〜図１０のロック状態から図４の初期状態に戻すには、第１可動載置部１４ａを図８〜図１０に示す位置から一旦起立操作する。そうすると、ロック部材３４のカム部３４ａが、直線状のガイド穴部３３ａから曲線状のガイド穴部３３ｂ内に戻される。そして、この直線状のガイド穴部３３ａから曲線状のガイド穴部３３ｂ内に戻される際に、曲線状のガイド穴部３３ｂ内の上部側の段部形状の段部３３ｃによりカム部３４ａは前記と同方向にさらに９０度回転駆動される。
【００４２】
これにより、ガイドレール３２のロック片３４ｂが、同方向に９０度回転駆動されて曲線状のガイド穴部３３ｂ内に収納される。そして図１１に示すように、ロック片３４ｂは、その両端が直線状ガイド穴部３３ａの長手方向を向いたロック解除状態になっている。
【００４３】
前記ロック解除の状態で第１可動載置部１４ａの起立操作を停止し第１可動載置部１４ａを倒伏させると、ロック部材３４のロック片３４ｂはロック片当接面３２ｃと当接せず通り抜けて図１１の状態から図４の状態に復帰する。また、第１可動載置部１４ａが急激に倒伏して被介助者に衝撃が加わることを回避するため、第１可動載置部１４ａと当該入浴用機器の他の部位との間に衝突の衝撃を緩和するゴム等の緩衝材を介装してもよい。
【００４４】
以上の他の実施形態では、両手で第１可動載置部１４ａを起立倒伏させることで、当該第１可動載置部１４ａを所望の位置にロックさせたり、ロック解除したりすることができる。これにより、介助者が女性であっても、また、被介助者の体重が重い場合であっても、容易に第１可動載置部１４ａを起立倒伏させることができる。
【００４５】
本発明は上述の実施形態に限定されるものではなく、その趣旨を逸脱しない範囲内で種々適宜に変更可能である。例えば、入浴用機器は、上述の実施形態で説明をした昇降式のストレッチャーに限定されるものではなく、非昇降式のストレッチャーであっても構わない。また、担架をストレッチャーに載せて搬送し、ストレッチャーを浴槽に横付けした後、担架のみを担架支持台の上方に移動させて、浴槽を昇降機構により上昇させて被介助者を浴湯に浸漬し入浴させる介護用入浴装置の担架であってもよい。
【符号の説明】
【００４６】
１  入浴用機器
２  ストレッチャー
３  担架
４  台車部
５  担架昇降機構
１１  載置部
１４ａ，１４ｂ  可動載置部
３０  取付部材
３１  回転軸
３２  ガイドレール
３２ｃ  ロック片当接面
３３  ガイド穴
３３ａ  直線状のガイド穴部
３３ｂ  曲線状のガイド穴部
３３ｃ  段部
３４  ロック部材
３４ａ  カム部
３４ｂ  ロック片
【図１】
2015016242.tif 000003
【図２】
2015016242.tif 000004
【図３】
2015016242.tif 000005
【図４】
2015016242.tif 000006
【図５】
2015016242.tif 000007
【図６】
2015016242.tif 000008
【図７】
2015016242.tif 000009
【図８】
2015016242.tif 000010
【図９】
2015016242.tif 000011
【図１０】
2015016242.tif 000012
【図１１】
2015016242.tif 000013